(57)【要約】【目的】コントラストの低下を抑制しつつ回路規模を小にすることが可能な表示パネルの駆動装置を提供することを目的とする。【解決手段】維持放電パルスを生成する為の電源と走査パルスを生成する為の電源とを直列接続して得られた電圧に基づいて、前縁部でのレベル推移が急峻であり且つ前縁部に続く部分でのレベル推移が緩やかな波形を有するリセットパルスを生成する。かかる構成により、リセットパルスを生成する為の専用電源が不要となると共に、このリセットパルスに応じて生起されるリセット放電に伴う発光輝度が低下する。【選択図】  図６
2004287003.tif 000002
【特許請求の範囲】
【請求項１】
複数の行電極と、前記行電極に交差して配列された複数の列電極と、前記行電極及び前記列電極の各交差部に配置された容量性発光素子と、を有する表示パネルを駆動する駆動装置であって、
第１電圧を発生する第１電源を備え前記第１電圧に基づいて前記容量性発光素子各々を点灯状態及び消灯状態のいずれか一方に設定させるべき走査パルスを発生して前記行電極に印加するスキャンドライバと、
第２電圧を発生する第２電源を備え前記第２電圧に基づいて前記点灯状態に設定された前記容量性発光素子を発光させるべき維持放電パルスを発生して前記行電極に印加するサスティンドライバと、
前記第１電源にて発生した前記第１電圧と前記第２電源にて発生した前記第２電圧とを加算した電圧に基づいて前記容量性発光素子の状態を初期化すべきリセットパルスを発生して前記行電極に印加するリセットドライバと、を備え、
前記リセットドライバは、前縁部でのレベル推移が急峻であり且つ前記前縁部に続く部分でのレベル推移が緩やかな波形を有するパルス信号を前記リセットパルスとして発生することを特徴とする表示パネルの駆動装置。
【請求項２】
前記リセットドライバは、急峻にレベル推移する急峻変化電圧と緩やかにレベル推移する緩変化電圧とを個別に生成して互いに相加することにより前記リセットパルスを発生することを特徴とする請求項１記載の表示パネルの駆動装置。
【請求項３】
前記リセットドライバは、前記第２電源の正端子と前記第１電源の負端子とを第１抵抗を介して接続することにより前記行電極上に前記急峻変化電圧を発生する第１スイッチング回路と、
前記第２電源の正端子と前記第１電源の負端子とを前記第１抵抗よりも高抵抗な第２抵抗を介して接続することにより前記行電極上に前記緩変化電圧を発生する第２スイッチング回路と、を含むことを特徴とする請求項１または２記載の表示パネルの駆動装置。
【請求項４】
前記リセットドライバは、前記第１スイッチング回路をオン状態且つ前記第２スイッチング回路をオフ状態に設定した後に、前記第１スイッチング回路をオフ状態且つ前記第２スイッチング回路をオン状態に切り替える制御手段を更に備えていることを特徴とする請求項３記載の表示パネルの駆動装置。
【発明の詳細な説明】
【０００１】
【発明の属する技術分野】
本発明は、容量性発光素子がマトリクス状に配列されている表示パネルの駆動装置に関する。
【０００２】
【従来の技術】
現在、上記の如き表示パネルとしてプラズマディスプレイパネルを搭載した表示装置が製品化されている（例えば、特許文献１参照）。
図１は、かかる表示装置の概略構成を示す図である。
図１において、プラズマディスプレイパネルとしてのＰＤＰ１には、Ｘ及びＹの１対にて１画面の各行（第１行〜第ｎ行）に対応した行電極対を為す行電極Ｙ１〜Ｙｎ及び行電極Ｘ１〜Ｘｎが形成されている。更に、これら行電極対に直交し、かつ図示せぬ誘電体層及び放電空間を挟んで、１画面の各列（第１列〜第ｍ列）に対応した列電極を為す列電極Ｄ１〜Ｄｍが形成されている。この際、１組の行電極対と１つの列電極との交叉部に、容量性発光素子としての放電セルが形成される。アドレスドライバ２は、映像信号に基づく各画素毎の画素データを、その論理レベルに応じた電圧値を有する画素データパルスに変換し、これを１行分毎に、上記列電極Ｄ１〜Ｄｍに印加する。Ｘ行電極ドライバ３は、各放電セルの残留壁電荷量を初期化する為のリセットパルス、後述するが如き点灯モードに設定されている放電セルの放電発光状態を維持させる為の維持放電パルスを発生し、これらを上記行電極Ｘ１〜Ｘｎに印加する。Ｙ行電極ドライバ４は、上記Ｘ行電極ドライバ３と同様に、各放電セルの残留壁電荷量を初期化する為のリセットパルス、放電発光状態を維持させる為の維持放電パルスを発生し、これらを上記行電極Ｙ１〜Ｙｎに印加する。更に、Ｙ行電極ドライバ４は、放電セル内に荷電粒子を再形成させる為のプライミングパルス、並びに各放電セルに対し画素データパルスに応じた電荷量を形成せしめて各放電セルを点灯モード又は消灯モードのいずれか一方に設定する為の走査パルスＳＰを発生し、これらを行電極Ｙ１〜Ｙｎに印加する。
【０００３】
図２は、Ｘ行電極ドライバ３及びＹ行電極ドライバ４の内部構成を表す図である。尚、図２において、電極Ｘｊは電極Ｘ１〜Ｘｎのうちの第ｊ行の電極であり、電極Ｙｊは電極Ｙ１〜Ｙｎのうちの第ｊ行の電極を示している。
Ｘ行電極ドライバ３には、２つの電源Ｂ１，Ｂ２が備えられている。電源Ｂ１は電圧Ｖｓ１（例えば、１７０Ｖ）を出力し、電源Ｂ２は電圧Ｖｒ１（例えば、１９０Ｖ）を出力する。電源Ｂ１の正端子はスイッチング素子Ｓ３を介して電極Ｘｊへの接続ライン１１に接続され、負端子はアース接続されている。接続ライン１１とアースとの間にはスイッチング素子Ｓ４が接続されている他、スイッチング素子Ｓ１、ダイオードＤ１及びコイルＬ１からなる直列回路と、コイルＬ２、ダイオードＤ２及びスイッチング素子Ｓ２からなる直列回路とがコンデンサＣ１を共通にアース側に介して接続されている。なお、ダイオードＤ１はコンデンサＣ１側をアノードとしており、ダイオードＤ２はコンデンサＣ１側をカソードとして接続されている。また、電源Ｂ２の正端子はスイッチング素子Ｓ８及び抵抗Ｒ１を介して接続ライン１１に接続され、電源Ｂ２の負端子はアース接続されている。Ｙ行電極ドライバ４には、４つの電源Ｂ３〜Ｂ６が備えられている。電源Ｂ３は電圧Ｖｓ１（例えば、１７０Ｖ）を出力し、電源Ｂ４は電圧Ｖｒ１（例えば、１９０Ｖ）を出力し、電源Ｂ５は電圧Ｖｏｆｆ（例えば、１４０Ｖ）を出力し、電源Ｂ６は電圧Ｖｈ（例えば、１６０Ｖ、Ｖｈ＞Ｖｏｆｆ）を出力する。電源Ｂ３の正端子はスイッチング素子Ｓ１３を介してスイッチング素子Ｓ１５への接続ライン１２に接続され、負端子はアース接続されている。接続ライン１２とアースとの間にはスイッチング素子Ｓ１４が接続されている他、スイッチング素子Ｓ１１、ダイオードＤ３及びコイルＬ４からなる直列回路と、コイルＬ４、ダイオードＤ４及びスイッチング素子Ｓ１２からなる直列回路とがコンデンサＣ２を共通にアース側に介して接続されている。なお、ダイオードＤ３はコンデンサＣ２側をアノードとしており、ダイオードＤ４はコンデンサＣ２側をカソードとして接続されている。接続ライン１２はスイッチング素子Ｓ１５を介して電源Ｂ６の正端子への接続ライン１３に接続されている。電源Ｂ４の正端子はアース接続され、負端子はスイッチング素子Ｓ１６、そして抵抗Ｒ２を介して接続ライン１３に接続されている。電源Ｂ５の正端子はスイッチング素子Ｓ１７を介して接続ライン１３に接続され、負端子はアース接続されている。接続ライン１３はスイッチング素子Ｓ２１を介して電極Ｙｊへの接続ライン１４に接続されている。電源Ｂ６の負端子はスイッチング素子Ｓ２２を介して接続ライン１４に接続されている。接続ライン１３，１４との間にはダイオードＤ５が接続され、またスイッチング素子Ｓ２３とダイオードＤ６との直列回路が接続されている。ダイオードＤ５は接続ライン１４側をアノードとし、ダイオードＤ６は接続ライン１４側をカソードとして接続されている。
【０００４】
ここで、上記スイッチング素子Ｓ１〜Ｓ４、Ｓ８、Ｓ１１〜Ｓ１７及びＳ２１〜Ｓ２３のオン／オフ切り換えは、図示しない制御回路によって制御される。
尚、Ｙ行電極ドライバ４内では、電源Ｂ３、スイッチング素子Ｓ１１〜Ｓ１５、コイルＬ３、Ｌ４、ダイオードＤ３、Ｄ４及びコンデンサＣ２がサスティンドライバ部を構成している。又、電源Ｂ４、抵抗Ｒ２及びスイッチング素子Ｓ１６がリセットドライバ部を構成し、残りの電源Ｂ５、Ｂ６、スイッチング素子Ｓ１３、Ｓ１７、Ｓ２１、Ｓ２２及びダイオードＤ５、Ｄ６がスキャンドライバ部を構成している。
【０００５】
次に、かかる構成による動作について図３のタイミングチャートを参照しつつ説明する。
図３に示すように、ＰＤＰ１の駆動は、リセット期間、アドレス期間及びサスティン期間によって区分けして行われる。
先ず、リセット期間では、Ｙ行電極ドライバ４のスイッチング素子Ｓ２３がオンとなる。スイッチング素子Ｓ２３はリセット期間及びサスティン期間においてオンとなる。また、同時にＸ行電極ドライバ３のスイッチング素子Ｓ８がオンとなり、Ｙ行電極ドライバ４のスイッチング素子Ｓ１６がオンとなる。その他のスイッチング素子はオフである。スイッチング素子Ｓ８のオンにより電源Ｂ２の正端子からスイッチング素子Ｓ８、抵抗Ｒ１を介して電極Ｘｊに電流が流れ、またスイッチング素子Ｓ１６のオンにより電極ＹｊからダイオードＤ５、抵抗Ｒ２、スイッチング素子Ｓ１６を介して電源Ｂ４の負端子に電流が流れ込む。この際、ＰＤＰ１の負荷容量Ｃ０と抵抗Ｒ１との時定数により電極Ｘｊ上の電位が徐々に上昇し、図３に示す如きリセットパルスＲＰｘが生成される。一方、電極Ｙｊの電位は負荷容量Ｃ０と抵抗Ｒ２との時定数により徐々に低下し、図３に示す如きリセットパルスＲＰｙが生成される。リセットパルスＲＰｘは電極Ｘ１〜Ｘｎの全てに同時に印加され、リセットパルスＲＰｙは電極Ｙ１〜Ｙｎ全てに同時に印加される。これらリセットパルスＲＰｘ及びＲＰｙの同時印加により、ＰＤＰ１の全ての放電セル内においてリセット放電が生起され、この放電終息後、全放電セルの誘電体層には一様に所定量の壁電荷が形成される。かかるリセット放電により、全ての放電セルは点灯モードに初期化される。スイッチング素子Ｓ８及びスイッチング素子Ｓ１６はリセットパルスＲＰｘ及びＲＰｙのレベルが飽和した後、リセット期間終了以前にオフとなる。また、この時点にスイッチング素子Ｓ４、Ｓ１４及びＳ１５がオンとなり、電極Ｘｊ及びＹｊは共にアースされる。これによりリセットパルスＲＰｘ及びＲＰｙは消滅する。
【０００６】
次に、アドレス期間では、スイッチング素子Ｓ１４及びＳ１５がオフとなり、スイッチング素子Ｓ２３がオフとなり、スイッチング素子Ｓ１７がオンとなり、同時にスイッチング素子Ｓ２２がオンとなる。スイッチング素子Ｓ１７のオンにより電源Ｂ５と電源Ｂ６とが直列に接続された状態となり、電源Ｂ６の負端子には電圧ＶｈとＶｏｆｆとの差を示す負電位が生じ、それが電極Ｙｊに印加される。更に、このアドレス期間においてアドレスドライバ２は映像信号に基づく各画素毎の画素データを、その論理レベルに応じた電圧値を有する画素データパルスＤＰ１〜ＤＰｎに変換し、これを１行分毎に、上記列電極Ｄ１〜Ｄｍに順次印加する。図３に示すように電極Ｙｊ，Ｙｊ＋１に対しては画素データパルスＤＰｊ，ＤＰｊ＋１が印加される。この間、Ｙ行電極ドライバ４は、正電圧のプライミングパルスＰＰを行電極Ｙ１〜Ｙｎに順次印加しつつ、各プライミングパルスＰＰの印加直後でありかつ上記画素データパルス群ＤＰ１〜ＤＰｎ各々のタイミングに同期させて負電圧の走査パルスＳＰを行電極Ｙ１〜Ｙｎに順次印加して行く。電極Ｙｊについて説明すると、プライミングパルスＰＰを生成する際には、スイッチング素子Ｓ２１がオンとなり、スイッチング素子Ｓ２２がオフとなる。また、スイッチング素子Ｓ１７はオンのままである。これにより電源Ｂ５の正端子の電位Ｖｏｆｆがスイッチング素子Ｓ１７、そしてスイッチング素子Ｓ２１を介して電極ＹｊにプライミングパルスＰＰとして印加される。プライミングパルスＰＰの印加後、アドレスドライバ２からの画素データパルスＤＰｊの印加に同期してスイッチング素子Ｓ２１がオフとなり、スイッチング素子Ｓ２２がオンとなる。これにより電源Ｂ６の負端子の電圧ＶｈとＶｏｆｆとの差を示す負電位が電極Ｙｊに走査パルスＳＰとして印加される。そして、アドレスドライバ２からの画素データパルスＤＰｊの印加の停止に同期してスイッチング素子Ｓ２１がオンとなり、スイッチング素子Ｓ２２がオフとなり、電源Ｂ５の正端子の電位Ｖｏｆｆがスイッチング素子Ｓ１７、そしてスイッチング素子Ｓ２１を介して電極Ｙｊに印加される。その後、電極Ｙｊ＋１についても図３に示すように、電極Ｙｊと同様にプライミングパルスＰＰが印加され、アドレスドライバ２からの画素データパルスＤＰｊ＋１の印加に同期して走査パルスＳＰが印加される。走査パルスＳＰが印加された行電極に属する放電セルの内では、正電圧の画素データパルスが更に同時に印加された放電セルにおいて放電が生じ、その壁電荷の大半が失われる。一方、走査パルスＳＰが印加されたものの正電圧の画素データパルスが印加されなかった放電セルでは放電が生じないので、上記壁電荷が残留したままとなる。この際、壁電荷が消滅してしまった放電セルは消灯モード、壁電荷が残留している放電セルは点灯モードに設定される。アドレス期間からサスティン期間に切り替わる時には、スイッチング素子Ｓ１７，Ｓ２１はオフとなり、代わってスイッチング素子Ｓ１４及びＳ１５がオンとなる。スイッチング素子Ｓ４のオン状態は継続される。
【０００７】
次に、サスティン期間では、Ｘ行電極ドライバ３のスイッチング素子Ｓ４がオン状態となることにより電極Ｘｊの電位はほぼ０Ｖのアース電位となる。次に、スイッチング素子Ｓ４がオフとなり、スイッチング素子Ｓ１がオンになると、コンデンサＣ１に蓄えられている電荷によりコイルＬ１、ダイオードＤ１、そしてスイッチング素子Ｓ１を介して電流が電極Ｘｊに達してＰＤＰ１の負荷容量Ｃ０を充電させる。このとき、コイルＬ１及び負荷容量Ｃ０の時定数により電極Ｘｊの電位は図３に示すように徐々に上昇する。次いで、スイッチング素子Ｓ１がオフとなり、スイッチング素子Ｓ３がオンとなる。これにより、電極Ｘｊには電源Ｂ１の正端子の電位ＶＳ１が印加される。その後、スイッチング素子Ｓ３がオフとなり、スイッチング素子Ｓ２がオンとなり、負荷容量Ｃ０に蓄積された電荷により電極ＸｊからコイルＬ２、ダイオードＤ２、そしてスイッチング素子Ｓ２を介してコンデンサＣ１に電流が流れ込む。このとき、コイルＬ２及びコンデンサＣ１の時定数により電極Ｘｊの電位は図３に示すように徐々に低下する。電極Ｘｊの電位がほぼ０Ｖに達すると、スイッチング素子Ｓ２がオフとなり、スイッチング素子Ｓ４がオンとなる。かかる動作によってＸ行電極ドライバ３は図３に示した如き正電圧の維持放電パルスＩＰｘを電極Ｘｊに印加する。維持放電パルスＩＰｘが消滅するスイッチング素子Ｓ４のオン時に同時に、Ｙ行電極ドライバ４ではスイッチング素子Ｓ１１がオンとなり、スイッチング素子Ｓ１４がオフとなる。スイッチング素子Ｓ１４がオンであったときには電極Ｙｊの電位はほぼ０Ｖのアース電位となっているが、スイッチング素子Ｓ１４がオフとなり、スイッチング素子Ｓ１１がオンになると、コンデンサＣ２に蓄えられている電荷によりコイルＬ３、ダイオードＤ３、スイッチング素子Ｓ１１、スイッチング素子Ｓ１５、スイッチング素子Ｓ１３、そしてダイオードＤ６を介して電流が電極Ｙｊに達してＰＤＰ１の負荷容量Ｃ０を充電させる。このとき、コイルＬ３及び負荷容量Ｃ０の時定数により電極Ｙｊの電位は図３に示すように徐々に上昇する。次いで、スイッチング素子Ｓ１１がオフとなり、スイッチング素子Ｓ１３がオンとなる。これにより、電極Ｙｊには電源Ｂ３の正端子の電位ＶＳ１が印加される。その後、スイッチング素子Ｓ１３がオフとなり、スイッチング素子Ｓ１２がオンとなり、負荷容量Ｃ０に蓄積された電荷により電極ＹｊからダイオードＤ５、スイッチング素子Ｓ１５、コイルＬ４、ダイオードＤ４、そしてスイッチング素子Ｓ１２を介してコンデンサＣ２に電流が流れ込む。このとき、コイルＬ４及びコンデンサＣ２の時定数により電極Ｙｊの電位は図３に示すように徐々に低下する。電極Ｙｊの電位がほぼ０Ｖに達すると、スイッチング素子Ｓ１２がオフとなり、スイッチング素子Ｓ１４がオンとなる。かかる動作によってＹ行電極ドライバ４は図３に示した如き正電圧の維持放電パルスＩＰｙを電極Ｙｊに印加する。
【０００８】
このように、サスティン期間においては、維持放電パルスＩＰｘと維持放電パルスＩＰｙとが交互に生成して電極Ｘ１〜Ｘｎと電極Ｙ１〜Ｙｎとに交互に印加されるので、上記壁電荷が残留したままとなっている放電セル、つまり点灯モードに設定されている放電セルのみが放電発光を繰り返しその発光状態を維持する。
ところで、リセット期間において全放電セル内の壁電荷量を一斉に初期化すべく生起させるリセット放電は比較的強い放電にする必要があるため、図３に示す如く、リセットパルスＲＰｙのパルス電圧（−Ｖｒ１）は維持放電パルスＩＰｙのパルス電圧よりも高くしてある。それ故に、Ｙ行電極ドライバ４内には、維持放電パルスＩＰｙを発生させる為の電源Ｂ３（電圧Ｖｓ１）よりも高電圧を発生する電源Ｂ４（電圧Ｖｒ１）が設けられており、回路規模が大になるという問題を抱えていた。
又、上記電源Ｂ３及び電源Ｂ４の電圧値が互いに異なり、かつ電源Ｂ３及び電源Ｂ４間に設けられているスイッチング素子Ｓ１３、Ｓ１５及びＳ１６が半導体スイッチであることから、電源Ｂ３及び電源Ｂ４間に逆電流が流れる可能性があった。更に、リセット放電に伴う発光は表示画像には何ら関与していないので、コントラストの低下を招いていた。
【０００９】
【特許文献１】
特開２０００−１５５５５７号公報
【００１０】
【発明が解決しようとする課題】
本発明は、かかる問題を解決すべく為されたものであり、コントラストの低下を抑制しつつ回路規模を小にすることが可能な表示パネルの駆動装置を提供することを目的とするものである。
【００１１】
【課題を解決するための手段】
請求項１記載による表示パネルの駆動装置は、複数の行電極と、前記行電極に交差して配列された複数の列電極と、前記行電極及び前記列電極の各交差部に配置された容量性発光素子と、を有する表示パネルを駆動する駆動装置であって、第１電圧を発生する第１電源を備え前記第１電圧に基づいて前記容量性発光素子各々を点灯状態及び消灯状態のいずれか一方に設定させるべき走査パルスを発生して前記行電極に印加するスキャンドライバと、第２電圧を発生する第２電源を備え前記第２電圧に基づいて前記点灯状態に設定された前記容量性発光素子を発光させるべき維持放電パルスを発生して前記行電極に印加するサスティンドライバと、前記第１電源にて発生した前記第１電圧と前記第２電源にて発生した前記第２電圧とを加算した電圧に基づいて前記容量性発光素子の状態を初期化すべきリセットパルスを発生して前記行電極に印加するリセットドライバと、を備え、前記リセットドライバは、前縁部でのレベル推移が急峻であり且つ前記前縁部に続く部分でのレベル推移が緩やかな波形を有するパルス信号を前記リセットパルスとして発生する。
【００１２】
【発明の実施の形態】
以下、本発明の実施例を図面を参照しつつ詳細に説明する。
図４は、表示パネルとしてＰＤＰを搭載したプラズマディスプレイ装置の概略構成を示す図である。
図４において、プラズマディスプレイパネルとしてのＰＤＰ１０は、Ｘ及びＹの１対にて１画面の各表示ライン（第１表示ライン〜第ｎ表示ライン）に対応した行電極対を為す行電極Ｙ１〜Ｙｎ及びＸ１〜Ｘｎを備えている。更に、ＰＤＰ１０には、上記行電極対に直交し、かつ図示せぬ誘電体層及び放電空間を挟んで１画面の各列（第１列〜第ｍ列）に対応した列電極Ｄ１〜Ｄｍが形成されている。尚、１対の行電極対（Ｘ、Ｙ）と１つの列電極Ｄとの交差部に、容量性発光素子としての放電セルが形成される。
【００１３】
駆動制御回路５０は、入力された映像信号を各画素毎の画素データに変換し、この画素データを各ビット桁毎に分割して画素データビットを得る。そして、駆動制御回路５０は、同一ビット桁同士にて各表示ライン分（ｍ個）ずつ画素データビットをアドレスドライバ２０に供給する。更に、駆動制御回路５０は、図５に示す如きサブフィールド法に基づく発光駆動フォーマットに従ってＰＤＰ１０を駆動させるべく、各種スイッチング信号ＳＷ（後述する）をＸ行電極ドライバ３０及びＹ行電極ドライバ４０の各々に供給する。尚、サブフィールド法では、映像信号における各フィールドを図５に示す如きＮ個のサブフィールドＳＦ１〜ＳＦ（Ｎ）に分割し、サブフィールド毎に各画素を発光駆動することにより、中間輝度を表現するものである。
【００１４】
図６は、Ｘ行電極ドライバ３０及びＹ行電極ドライバ４０各々の内部構成を示す図である。
図６において、Ｘ行電極ドライバ３０のコンデンサＣ１の一端には、ＰＤＰ１０の接地電位が印加されている。スイッチング素子Ｓ１は、上記駆動制御回路５０から論理レベル０のスイッチング信号ＳＷ１が供給されている間はオフ状態にある。一方、かかるスイッチング信号ＳＷ１の論理レベルが１である場合にはオン状態となって、上記コンデンサＣ１の他端に生じた電位をコイルＬ１及びダイオードＤ１を介してＰＤＰ１０の行電極Ｘに印加する。スイッチング素子Ｓ２は、上記駆動制御回路５０から論理レベル０のスイッチング信号ＳＷ２が供給されている間はオフ状態である一方、かかるスイッチング信号ＳＷ２の論理レベルが１である場合にはオン状態となって行電極Ｘ上の電位をコイルＬ２及びダイオードＤ２を介して上記コンデンサＣ１の他端に印加する。この際、コンデンサＣ１は、この行電極Ｘ上の電位によって充電される。スイッチング素子Ｓ３は、上記駆動制御回路５０から論理レベル０のスイッチング信号ＳＷ３が供給されている間はオフ状態である一方、かかるスイッチング信号ＳＷ３が論理レベル１である場合にはオン状態となって電源Ｂ１が発生した電圧Ｖｓを行電極Ｘに印加する。
尚、電圧Ｖｓは、後述する維持放電パルスＩＰＸのパルス電圧である。スイッチング素子Ｓ４は、上記駆動制御回路５０から論理レベル０のスイッチング信号ＳＷ４が供給されている間はオフ状態である一方、かかるスイッチング信号ＳＷ４が論理レベル１である場合にはオン状態となって行電極ＸをＰＤＰ接地電位に設定する。
【００１５】
Ｙ行電極ドライバ４０は、サスティンドライバ部ＳＵＤ、リセットドライバ部ＲＳＤ及びスキャンドライバ部ＳＣＤからなる。
サスティンドライバ部ＳＵＤのコンデンサＣ２の一端には、ＰＤＰ１０の接地電位が印加されている。スイッチング素子Ｓ１１は、上記駆動制御回路５０から論理レベル０のスイッチング信号ＳＷ１１が供給されている間はオフ状態にある。一方、スイッチング信号ＳＷ１１の論理レベルが１である場合にはオン状態となって、上記コンデンサＣ２の他端に生じた電位をコイルＬ３及びダイオードＤ３を介して接続ライン１２上に印加する。スイッチング素子Ｓ１２は、上記駆動制御回路５０から論理レベル０のスイッチング信号ＳＷ１２が供給されている間はオフ状態である一方、スイッチング信号ＳＷ１２の論理レベルが１である場合にはオン状態となって接続ライン１２上の電位をコイルＬ４及びダイオードＤ４を介して上記コンデンサＣ２の他端に印加する。この際、コンデンサＣ２は、この接続ライン１２上の電位によって充電される。スイッチング素子Ｓ１３は、上記駆動制御回路５０から論理レベル０のスイッチング信号ＳＷ１３が供給されている間はオフ状態である一方、スイッチング信号ＳＷ１３が論理レベル１である場合にはオン状態となって電源Ｂ３が発生した電圧Ｖｓを接続ライン１２上に印加する。尚、電圧Ｖｓは、後述する維持放電パルスＩＰｙのパルス電圧値である。スイッチング素子Ｓ１４は、上記駆動制御回路５０から論理レベル０のスイッチング信号ＳＷ１４が供給されている間はオフ状態である一方、スイッチング信号ＳＷ１４が論理レベル１である場合にはオン状態となって接続ライン１２をＰＤＰ接地電位に設定する。スイッチング素子Ｓ１５は、駆動制御回路５０から供給されたスイッチング信号ＳＷ１５が論理レベル１である期間中に限りオン状態となって、上記接続ライン１２と後述する接続ライン１３とを接続する。
【００１６】
リセットドライバ部ＲＳＤにおけるスイッチング素子Ｓ１７は、上記駆動制御回路５０から論理レベル０のスイッチング信号ＳＷ１７が供給されている間はオフ状態にある。一方、スイッチング信号ＳＷ１７が論理レベル１である場合にはスイッチング素子Ｓ１７はオン状態となり、上記電源Ｂ３の正端子と接続ライン１３とを抵抗Ｒ１を介して接続する。すなわち、スイッチング素子Ｓ１７は、スイッチング信号ＳＷ１７に応じて、上記電源Ｂ３が発生した電圧Ｖｓを抵抗Ｒ１を介して接続ライン１３上に印加するのである。スイッチング素子Ｓ１８は、上記駆動制御回路５０から論理レベル０のスイッチング信号ＳＷ１８が供給されている間はオフ状態にある。一方、スイッチング信号ＳＷ１８が論理レベル１である場合にはスイッチング素子Ｓ１８はオン状態となり、上記電源Ｂ３の正端子と接続ライン１３とを抵抗Ｒ２を介して接続する。すなわち、スイッチング素子Ｓ１８は、スイッチング信号ＳＷ１８に応じて、上記電源Ｂ３が発生した電圧Ｖｓを抵抗Ｒ２を介して接続ライン１３上に印加するのである。尚、抵抗Ｒ２は、抵抗Ｒ１よりも高抵抗である。
【００１７】
スキャンドライバ部ＳＣＤにおけるスイッチング素子Ｓ１９及びＳ２０は、上記駆動制御回路５０から論理レベル０のスイッチング信号ＳＷ１９及びＳＷ２０が供給されている間はオフ状態にある。一方、スイッチング信号ＳＷ１９及びＳＷ２０が共に論理レベル１である場合には共にオン状態となり、電源Ｂ５が発生した負の電圧（−Ｖｏｆｆ）を抵抗Ｒ３を介して接続ライン１３上に印加する。尚、電圧（−Ｖｏｆｆ）は、後述する走査パルスＳＰにおけるパルス電圧値を担う電圧である。つまり、電源Ｂ５は、走査パルスＳＰのパルス電圧値としての電圧（−Ｖｏｆｆ）を発生する電源なのである。スイッチング素子Ｓ２１は、駆動制御回路５０から供給されたスイッチング信号ＳＷ２１が論理レベル１である期間中に限りオン状態となって、電源Ｂ６の正端子と行電極Ｙとを接続する。すなわち、スイッチング素子Ｓ２１は、スイッチング信号ＳＷ２１に応じて、電源Ｂ６の正端子の電位を行電極Ｙ上に印加するのである。スイッチング素子Ｓ２２は、駆動制御回路５０から供給されたスイッチング信号ＳＷ２２が論理レベル１である期間中に限りオン状態となって、電源Ｂ６の負端子と行電極Ｙとを接続する。すなわち、スイッチング素子Ｓ２２は、スイッチング信号ＳＷ２２に応じて、電源Ｂ６の負端子に接続されている接続ライン１３上の電位を行電極Ｙ上に印加するのである。尚、電源Ｂ６は、後述するアドレス期間内において全ての行電極Ｙ１〜Ｙｎ上の電圧を正極性の電圧に固定すべき電圧Ｖｈを発生する電源である。この際、電圧Ｖｈは、走査パルスＳＰにおけるパルス電圧の一部を担うものとなる。つまり、電源Ｂ５は、走査パルスＳＰのパルス電圧の一部を担う電圧Ｖｈを発生する電源なのである。
【００１８】
次に、かかる構成による動作について図７のタイミングチャートを参照しつつ説明する。尚、図７においては、図５に示す先頭のサブフィールドＳＦ１内での動作を抜粋して示す図である。図７に示すようにサブフィールドＳＦ１は、リセット期間、アドレス期間及びサスティン期間からなる。
先ず、リセット期間では、駆動制御回路５０が、サスティンドライバ部ＳＵＤのスイッチング素子Ｓ１４をオフ状態、スイッチング素子Ｓ１５をオン状態に夫々設定する。更に、かかるリセット期間内において、駆動制御回路５０は、リセットパルスの前縁部を生成するための第１波形生成行程ＲＳ１、及びリセットパルスの主体部を生成するための第２波形生成行程ＲＳ２を順次実行する。第１波形生成行程ＲＳ１では、リセットドライバ部ＲＳＤのスイッチング素子Ｓ１８がオフ状態、スイッチング素子Ｓ１７がオン状態に夫々設定される。又、第２波形生成行程ＲＳ２では、リセットドライバ部ＲＳＤのスイッチング素子Ｓ１８がオン状態、スイッチング素子Ｓ１７がオフ状態に夫々設定される。更に、上記第１波形生成行程ＲＳ１及び第２波形生成行程ＲＳ２では、スキャンドライバ部ＳＣＤのスイッチング素子Ｓ２１がオン状態、スイッチング素子Ｓ２２がオフ状態に夫々設定される。よって、上記第１波形生成行程ＲＳ１及び第２波形生成行程ＲＳ２の実行中はスキャンドライバ部ＳＣＤの電源Ｂ６の電圧Ｖｈが行電極Ｙに印加されると共に、図６のＣＲ１にて示す電流路を介してサスティンドライバ部ＳＵＤの電源Ｂ３からの電流が放電セル内に流れ込む。
【００１９】
この際、上記第１波形生成行程ＲＳ１では、電源Ｂ３からの電流がスイッチング素子Ｓ１７及び抵抗Ｒ１を介して放電セル内に流れ込む。従って、上記電圧Ｖｈに設定された行電極Ｙ上の電圧は、ＰＤＰ１０の負荷容量Ｃ０及び抵抗Ｒ１による時定数（Ｃ０・Ｒ１）に応じた図７に示す如き傾斜にて徐々に上昇する。そして、行電極Ｙ上の電圧が所定電圧Ｖｃよりも大となると、駆動制御回路５０は第２波形生成行程ＲＳ２の実行に移る。尚、所定電圧Ｖｃは、ＰＤＰ１０に形成されている放電セルの放電開始電圧よりも僅かに低い電圧である。第２波形生成行程ＲＳ２では、上記スイッチング素子Ｓ１７及び抵抗Ｒ１に代わりスイッチング素子Ｓ１８及び抵抗Ｒ２なる電流路を介して電源Ｂ３からの電流が放電セル内に流れ込むことになる。これにより、行電極Ｙ上の電圧は、ＰＤＰ１０の負荷容量Ｃ０及び抵抗Ｒ２による時定数（Ｃ０・Ｒ２）に応じた図７に示す如き傾斜にて徐々に上昇する。この際、抵抗Ｒ２は抵抗Ｒ１よりも高抵抗であるので、図７に示すように、第２波形生成行程ＲＳ２での電圧上昇に比して、第１波形生成行程ＲＳ１での電圧上昇は急峻になる。ここで、行電極Ｙ上の電圧が電源Ｂ３と電源Ｂ６との直列接続によって生じる電圧（Ｖｓ＋Ｖｈ）に到達したら、駆動制御回路５０は、スイッチング素子Ｓ１８及びＳ２１を共にオフ状態に切り替えると共に、スイッチング素子Ｓ２２をオン状態に切り替える。これにより、スイッチング素子Ｓ２２、Ｓ１５及びＳ１４なる電流路（図６のＣＲ２にて示す）が形成され、行電極Ｙ上の電圧は直ちに０ボルトに推移する。上記第１波形生成行程ＲＳ１及び第２波形生成行程ＲＳ２の実行により、前縁部では比較的急峻に、その後は比較的緩やかに電圧レベルが上昇して最高のパルス電圧値（Ｖｓ＋Ｖｈ）に推移するリセットパルスＲＰＹが生成され、これが全ての行電極Ｙに印加される。この際、リセットパルスＲＰＹの電圧が図７に示す如き所定電圧Ｖｃを越えると、各放電セル内において第１リセット放電（書込放電）が生起される。かかる第１リセット放電により、各放電セルの放電空間内には荷電粒子が形成され、更に、誘電体層に所定量の壁電荷が形成される。そして、リセットパルスＲＰｙの立ち下がり時において、全放電セルにおいて第２リセット放電（消去放電）が生起され、全ての放電セル内から上記壁電荷が消滅する。すなわち、リセットパルスＲＰｙの印加に応じて生起される第１リセット放電及び第２リセット放電により、全ての放電セルは消灯モードに初期化されるのである。
【００２０】
次に、アドレス期間では、駆動制御回路５０が、スキャンドライバ部ＳＣＤにおけるスイッチング素子Ｓ１９〜Ｓ２１をオフ状態からオン状態に切り換え、スイッチング素子Ｓ２２をオン状態からオフ状態に切り換える。これにより、行電極Ｙ上の電圧は、図７に示す如く電源Ｂ３が発生した正極性の電圧Ｖｈに維持される。そして、駆動制御回路５０は、ＰＤＰ１０における第１〜第ｎ表示ライン各々に対応したスイッチング素子Ｓ２１を順次、所定期間だけオフ状態に切り換えると共に、第１〜第ｎ表示ライン各々に対応したスイッチング素子Ｓ２２を順次、所定期間だけオン状態に切り換える。すると、スイッチング素子Ｓ２１がオフ状態、Ｓ２２がオン状態にある期間だけ行電極Ｙ１〜Ｙｎ各々の電位が順次、正極性の電圧Ｖｈから負の電圧−Ｖｏｆｆに推移して走査パルスＳＰが生成される。この間、アドレスドライバ２は映像信号に基づく各画素毎の画素データに対応した画素データパルスＤＰを１表示ライン分（ｍ個）ずつ列電極Ｄ１〜Ｄｍに印加する。
これにより、上記走査パルスＳＰと同時に、高電圧の画素データパルスＤＰが印加された放電セル内において選択的に書込放電が生じ、その放電終息後に壁電荷が形成される。一方、走査パルスＳＰが印加されたものの高電圧の画素データパルスが印加されなかった放電セル内では上記の如き書込放電は生起されないので、壁電荷の形成はなされない。かかるアドレス期間において、壁電荷が形成された放電セルは点灯モード、壁電荷が消滅してしまった放電セルは消灯モードに設定される。
【００２１】
サスティン期間では、駆動制御回路５０は、先ず、サスティンドライバ部ＳＵＤのスイッチング素子Ｓ１４をオフ状態からオン状態に切り換え、所定期間経過後に、サスティンドライバ部ＳＵＤのスイッチング素子Ｓ１５をオフ状態からオン状態に切り換える。そして、駆動制御回路５０は、サスティンドライバ部ＳＵＤのスイッチング素子Ｓ１１〜Ｓ１４各々に対しては図７に示す如きスイッチング設定ＳＳＹを断続的に繰り返し実行する。更に、駆動制御回路５０は、Ｘ行電極ドライバ３０のスイッチング素子Ｓ１〜Ｓ４各々に対しては図７に示す如きスイッチング設定ＳＳＸを断続的に繰り返し実行する。スイッチング設定ＳＳＸでは、先ず、スイッチング素子Ｓ１〜Ｓ４の内のＳ１のみがオン状態となり、コンデンサＣ１に蓄えられていた電荷に伴う電流がコイルＬ１、ダイオードＤ１、行電極Ｘを介して放電セルに流れ込む。これにより、行電極Ｘ上の電圧は図７に示す如く徐々に上昇して行く。次に、上記スイッチング素子Ｓ１と共にＳ３がオン状態となり、電源Ｂ１による電圧ＶＳがそのまま行電極Ｘに印加される。これにより、行電極Ｘ上の電圧は電圧Ｖｓにて固定される。そして、スイッチング素子Ｓ１〜Ｓ４の内のＳ２のみがオン状態となり、行電極Ｘ及びＹ間の負荷容量Ｃ０に蓄えられていた電荷に伴う電流が行電極Ｘ、コイルＬ２、ダイオードＤ２を介してコンデンサＣ１に流れ込む。これにより、行電極Ｘ上の電圧は図７に示す如く徐々に下降して行く。以上の如きスイッチング設定ＳＳＸが断続的に繰り返し実行されることにより、図７に示す如き電圧Ｖｓをパルス電圧値とする維持放電パルスＩＰＸが生成され、これが繰り返し行電極Ｘ上に印加される。一方、スイッチング設定ＳＳＹでは、先ず、スイッチング素子Ｓ１１〜Ｓ１４の内のＳ１１のみがオン状態となり、コンデンサＣ２に蓄積されていた電荷に伴う電流がコイルＬ３、ダイオードＤ３、スイッチング素子Ｓ１５、スイッチング素子Ｓ２２及び行電極Ｙを介して放電セルに流れ込む。これにより、行電極Ｙ上の電圧は図７に示す如く徐々に上昇して行く。次に、上記スイッチング素子Ｓ１１と共にＳ１３がオン状態となり、電源Ｂ３が発生した電圧Ｖｓがスイッチング素子Ｓ１５、及びスイッチング素子Ｓ２２を介して行電極Ｙに印加される。これにより、行電極Ｙ上の電圧は図７に示す如く電圧ＶＳに固定される。そして、スイッチング素子Ｓ１１〜Ｓ１４の内のＳ１２、並びにスイッチング素子Ｓ１７〜Ｓ２２の内のＳ２２のみがオン状態となり、行電極Ｘ及びＹ間の負荷容量Ｃ０に蓄えられていた電荷に伴う電流が行電極Ｙ、スイッチング素子Ｓ２２、Ｓ１５、コイルＬ４、ダイオードＤ４を介してコンデンサＣ１に流れ込む。これにより、行電極Ｙ上の電圧は図７に示す如く徐々に下降して行く。以上の如きスイッチング設定ＳＳＹが断続的に繰り返し実行されることにより、図７に示す如き電圧Ｖｓをパルス電圧値とする維持放電パルスＩＰｙが生成され、これが繰り返し行電極Ｙに印加される。
【００２２】
サスティン期間では、壁電荷が存在する放電セル、つまり点灯モードに設定されている放電セルのみが、上記の如き維持放電パルスＩＰＸ及びＩＰＹが印加される度に放電（維持放電）し、その放電に伴う発光を繰り返す。
以上の如く、図６に示すＹ行電極ドライバ４０においては、維持放電パルスＩＰＹを生成する為の電源Ｂ３と走査パルスＳＰを生成する為の電源Ｂ６とを直列接続することにより、両者の電圧の和である電圧（Ｖｓ＋Ｖｈ）をリセットパルスＲＰＹのパルス電圧として用いるようにしている。すなわち、リセットパルスを生成するための専用の電源を設けずとも、比較的高電圧のパルス電圧を有するリセットパルスを生成可能にしたのである。又、接続ライン１３上の電位が電源Ｂ３の電位を越えないため、維持放電パルスＩＰｙを生成する電源Ｂ３に対する電流の逆流も起こらない。よって、リセットパルスの専用電源と共に、逆流防止回路も不要となるので回路規模を小規模化することが可能となる。
【００２３】
更に、本願発明においては、ＰＤＰ１０に形成されている放電セル各々の放電開始電圧にはバラツキがあることに着目して、図７に示す如き電圧レベルが緩やかに推移するリセットパルスＲＰＹを用いてリセット放電を生起させることにより、リセット放電に伴う発光輝度を抑止するようにしている。すなわち、図７に示す如きリセットパルスＲＰＹの印加によれば、行電極Ｙ上の電圧レベルが緩やかに上昇するので、第２波形生成行程ＲＳ２の実行期間中において、放電開始電圧の低い放電セルから高い放電セルへと徐々にリセット放電が生起されて行くことになる。よって、全放電セルが一斉にリセット放電する場合に比してリセット放電に伴う発光輝度が低下するのである。この際、本願発明においては、リセットパルスＲＰＹの前縁部、つまり電圧レベルが図７に示す如き所定電圧Ｖｃを越えるまでの部分（第１波形生成行程ＲＳ１）では、それに続く部分（第２波形生成行程ＲＳ２）に比して電圧レベルを急峻に推移させている。すなわち、リセットパルスＲＰＹの前縁部でのレベル推移を急峻にすることにより、その電圧レベルが、各放電セルの放電開始電圧として取り得る最低の放電開始電圧よりも僅かに低い電圧（所定電圧Ｖｃ）に到るまでの時間を短縮しているのである。
【００２４】
これにより、リセットパルスのパルス幅を広げることなく、上記第２波形生成行程ＲＳ２の実行期間を長くすることが可能となるので、各放電セルに生起されるリセット放電の時期が分散される。よって、同一時点に生起されるリセット放電の数が少なくなってこのリセット放電に伴う発光輝度が低下するので、画面のコントラストが高まる。
【図面の簡単な説明】
【図１】プラズマディスプレイ装置の概略構成を示す図である。
【図２】図１に示されるプラズマディスプレイ装置のＸ行電極ドライバ３及びＹ行電極ドライバ４の内部構成を示す図である。
【図３】Ｘ行電極ドライバ３及びＹ行電極ドライバ４の動作を示すタイムチャートである。
【図４】本発明によるプラズマディスプレイ装置の概略構成を示す図である。
【図５】サブフィールド法に基づく概略駆動フォーマットを示す図である。
【図６】図４に示されるプラズマディスプレイ装置のＸ行電極ドライバ３０及びＹ行電極ドライバ４０の内部構成を示す図である。
【図７】Ｘ行電極ドライバ３０及びＹ行電極ドライバ４０の動作を示すタイムチャートである。
【符号の説明】
１０  ＰＤＰ
３０  Ｘ行電極ドライバ
４０  Ｙ行電極ドライバ
【図１】
2004287003.tif 000003
【図２】
2004287003.tif 000004
【図３】
2004287003.tif 000005
【図４】
2004287003.tif 000006
【図５】
2004287003.tif 000007
【図６】
2004287003.tif 000008
【図７】
2004287003.tif 000009